(57)【要約】      （修正有）【課題】手持ちのスプレーガンに簡単に取付ける事が出来、電源をコンセントから取る必要の無い静電気発生器を提供する。【解決手段】電源は電池駆動としたポケットサイズの電源部と、面ファスナーベルトにより簡単にスプレーガンに取付ける事が出来る電極部とで構成した。従って、一般の板金修理工場において高額な静電塗装装置を設備しなくても静電塗装が出来る。また、静電気発生器の内蔵されたスプレーガンを新たに購入する必要が無く、また電源コンセントの必要も無く電源コードを引いて歩く事もない。【選択図】図１
0003163794.tif 000002
【実用新案登録請求の範囲】
【請求項１】
電極部が既存のスプレーガンに簡単に脱着出来、高電圧発生部はバッテリー駆動にしてコンパクトにする事により、電源コードをコンセントに接続する必要が無く、ポケットに入れ、あるいはベルトにぶら下げる等、身に付けて使用する事の出来る、静電気発生器。
【考案の詳細な説明】
【技術分野】
【０００１】  本考案は、板金修理時の塗装に関する。
【背景技術】
【０００２】  板金修理時の塗装おいては、塗装用スプレーガンにより、塗料を塗装面に吹き付ける。
メーカーにおいては、静電塗装装置により塗装面への塗着率を効率よく塗装しているのであるが、静電塗装装置は非常に高価であり設置面積も大きいため、板金修理工場では設備する事は困難であり、塗装ブース等により、普通にスプレーガンを使用して塗装している。
このため、スプレーガンから噴霧された塗料が塗装面に付着せず飛散する割合が非常に大きくなり、人体や環境に悪影響を及ぼす。
近年スプレーガン本体に静電気発生器を組み込んだものがあるが、板金修理工場では一般的にスプレーガンを用途に応じて複数所有し使用しており、新規に当該スプレーガンを複数購入しなければならない。
当該スプレーガンは従来のスプレーガンに静電気発生器を組み込んであるため大型化してしまい、価格は従来のスプレーガンより高価になる。
また、当該スプレーガンでは、電源をコンセントから取るのであるが、塗装ブース等にはコンセントが無いのが普通であり、延長コード等により電源を供給しなければならない。
また、スプレーガンは高圧エアーで動作するため、高圧エアーを供給するホースが接続されている上に電源コードまで引いて歩かなければならない。
【考案の開示】
【考案が解決しようとする課題】
【０００３】  コンセントを必要とせず、既設のスプレーガンに簡単に脱着出来るスプレーガン用静電気発生器を提供することを目的とした。
【課題を解決するための手段】
【０００４】  本考案においては、電圧発生用電源として電池を使用し、高電圧を発生させるポケットサイズの電源部と、電極としてピン形圧着端子を使用しシールド付き１芯ケーブルの芯線をピン形圧着端子に圧着する。
このピン形圧着端子を樹脂製のホルダに挿入しピン形圧着端子のピン部がホルダ端面から９ｍｍ程度突き出るようにする。
シールド付き１芯ケーブルのシールド線はホルダの外側でピン形圧着端子のピンが突き出た面と９０度の面に銅箔テープではりつけ、ホルダに面ファスナーベルトの片側を固着させる。
スプレーガン先端のリング部にピン形圧着端子のピンをスプレーガンの吐出方向に向け、銅箔テープの面がリング外周面に接する様に面ファスナーベルトを巻きつけて使用する。
【考案実施の形態】
【０００５】  本考案は、板金修理工場において塗装修理を行うスプレーガンに取付けて使用する。
【実施例】
【０００６】  図１、及び図２において、ピン形圧着端子（１ａ）にはシールド付き１芯ケーブル（２）の芯線（３）が圧着されている。
ピン形圧着端子（１ａ）はピン（１ｂ）がホルダ（４ａ）の端面から９ｍｍ程度突き出る様に挿入されている。
シールド付き１芯ケーブル（２）のシールド（５）は、ホルダ（４ａ）の外側に、ピン形圧着端子（１ａ）及び芯線（３）と接触しないように銅箔テープ（６）により貼付けられている。
電源ＢＯＸ（７）はポケットサイズの大きさで、電池を内蔵し高電圧の直流電圧を発生させ、プラス側にはシールド付き１芯ケーブル（２）の芯線（３）が、マイナス側にはシールド（５）が接続されている。
電源ＢＯＸ（７）には電源をＯＮ，ＯＦＦさせるスィッチがつけてある。
図３、及び図４において、ホルダ（４ａ）には長穴（４ｂ）が２箇所明けられており、この長穴（４ｂ）の片方に面ファスナーベルト（８）の片端を固定してある。
図５において、スプレーガン本体（９ａ）のノズル（９ｂ）のリング部ノズル外周面（９ｃ）に、銅箔テープ（６）が接するように取付け、面ファスナーベルト（８）をノズル外周面（９ｃ）に巻き付け、長穴（４ｂ）の空いている方の穴に通してホルダ（４ａ）を固定する。
これによりノズル（９ｂ）は、銅箔テープ（６）を介してシールド（５）と導通状態となる。
ポケット等に入れ身に付けている電源ＢＯＸ（７）のスィッチをＯＮさせると、ピン形圧着端子（１ａ）のピン（１ｂ）とシールド（５）に導通しているノズル（９ｂ）との間に電界が発生する。
ノズル（９ｂ）から塗料が噴出されると、上記電界内を通過するため噴出された塗料が帯電する事により静電塗装が可能となる。
【考案の効果】
【０００７】  本考案は前記の様に、自前のスプレーガンに本考案による静電気発生器を付属の面ファスナーベルトで取付けるだけで静電塗装が出来るため、一般の板金修理工場において高額な静電塗装装置を設備しなくても静電塗装が出来る。
また、静電気発生器の内蔵されたスプレーガンを新たに購入する必要が無く、また電源コンセントの必要も無く電源コードを引いて歩く事もない。
また、面ファスナーベルトでスプレーガンに取付けられるため、本考案による静電気発生器１台で、いろいろなタイプのスプレーガンに対応出来る。
以上の如く、静電塗装の設備費が非常に安価となる。
【図面の簡単な説明】
【図１】  本考案による静電気発生器の側面図。
【図２】  本考案による静電気発生器の電極部の拡大側面断面図。
【図３】  本考案による静電気発生器の平面図
【図４】  本考案による静電気発生器使用時の正面図
【図５】  本考案による静電気発生器をスプレーガンに取付けた側面図
【符号の説明】１ａ  ピン形圧着端子
１ｂ  ピン
２    シールド付き１芯ケーブル
３    芯線
４ａ  ホルダ
４ｂ  長穴
５    シールド
６    銅箔テープ
７    電源ＢＯＸ
８    面ファスナーベルト
９ａ  スプレーガン本体
９ｂ  ノズル
９ｃ  ノズル外周面
【図１】
0003163794.tif 000003
【図２】
0003163794.tif 000004
【図３】
0003163794.tif 000005
【図４】
0003163794.tif 000006
【図５】
0003163794.tif 000007
【手続補正書】
【提出日】平成22年5月28日(2010.5.28)
【手続補正１】
【補正対象書類名】実用新案登録請求の範囲
【補正対象項目名】全文
【補正方法】変更
【補正の内容】
【実用新案登録請求の範囲】
【請求項１】
電極部がスプレーガンに簡単に脱着出来、高電圧発生部はバッテリー駆動にしてコンパクトにする事により、電源コードをコンセントに接続する必要が無く、ポケットに入れ、身に付けて使用する事の出来る、静電気発生器。
【手続補正書】
【提出日】平成22年7月30日(2010.7.30)
【手続補正１】
【補正対象書類名】実用新案登録請求の範囲
【補正対象項目名】全文
【補正方法】変更
【補正の内容】
【実用新案登録請求の範囲】
【請求項１】
シールド付き１芯ケーブルの芯線を圧着したピン形圧着端子が挿入された樹脂製のホルダと、この樹脂製のホルダに面ファスナーベルトの片側を固着させ、この面ファスナーベルトによりスプレーガンの吐出部に巻き付けることによりスプレーガンに簡単に脱着することの出来る電極部と、ポケットサイズ（１３５×７６×厚さ２７ｍｍ）のケースのなかに高電圧を発生させる回路ユニットと電源用電池を組み込んだ電源部とで構成され、電極部から出ている１芯ケーブルをポケットに入れた電源部に接続する事により、スプレーガンの吐出部に電界を発生させ、スプレーガンより吐出された塗料を帯電させる静電気発生器。